(57)【要約】【課題】本発明は、使用に便利である電気半田ごてを提供することを目的とする。【解決手段】本発明の電気半田ごては、ハンドルと、ハンドルの内部に設置される加熱柱と、ハンドルの内部にスライド可能に設置される調節部材と、中央部が前記加熱柱に枢着される第一こてヘッド及び第二こてヘッドと、を備え、前記第一こてヘッド及び第二こてヘッドの第一端は前記調節部材に枢着され、前記調節部材をスライドさせて、前記第一こてヘッド及び第二こてヘッドの第二端は向かい合って移動して近付くか又は相反する方向に向かって移動して離れる。【選択図】図２
2013111652.tif 000002
【特許請求の範囲】
【請求項１】
ハンドルと、ハンドルの内部に設置される加熱柱と、ハンドルの内部にスライド可能に設置される調節部材と、中央部が前記加熱柱に枢着される第一こてヘッド及び第二こてヘッドと、を備える電気半田ごてであって、
前記第一こてヘッド及び第二こてヘッドの第一端は前記調節部材に枢着され、前記調節部材をスライドさせて、前記第一こてヘッド及び第二こてヘッドの第二端は向かい合って移動して近付くか又は相反する方向に向かって移動して離れることを特徴とする電気半田ごて。
【請求項２】
前記電気半田ごては、前記ハンドルと前記調節部材との間に設置される弾性部材をさらに備え、前記弾性部材が弾性復帰する際、前記第一こてヘッド及び第二こてヘッドの前記第二端は向かい合って移動して近付くことを特徴とする請求項１に記載の電気半田ごて。
【請求項３】
前記ハンドルには、前記調節部材のスライド方向に沿ってスライドスロットが設けられ、前記調節部材は、前記スライドスロットに沿ってスライドする操作部を備え、前記弾性部材は、前記スライドスロットに収容され且つ前記操作部に当接することを特徴とする請求項２に記載の電気半田ごて。
【請求項４】
前記加熱柱には、熱伝導軸が突出して形成され、前記第一こてヘッド及び前記第二こてヘッドの中央部は、前記熱伝導軸に対称的に枢着されることを特徴とする請求項１から３のいずれか一項に記載の電気半田ごて。
【請求項５】
前記第一こてヘッド及び前記第二こてヘッドは、前記熱伝導軸に枢着される枢着部と、前記枢着部の両端から相反する方向に向かって延在して形成される接続部及び挟持部と、を備え、前記第一こてヘッドの挟持部及び前記第二こてヘッドの挟持部は、近付くか又は離れることを特徴とする請求項４に記載の電気半田ごて。
【請求項６】
前記調節部材の下端には接続板が形成され、前記接続板には、第一接続部材及び第二接続部材が枢着され、前記第一こてヘッドの接続部及び前記第二こてヘッドの接続部は、前記第一接続部材及び前記第二接続部材にそれぞれに枢着されることを特徴とする請求項１から５のいずれか一項に記載の電気半田ごて。
【発明の詳細な説明】
【技術分野】
【０００１】
本発明は、電気半田ごてに関するものである。
【背景技術】
【０００２】
レジスターやキャパシターなどの電子部品をプリント回路基板に取り付ける際には、電気半田ごてを用いて電子部品の半田付け端子を加熱してプリント回路基板に取り付ける。従来の電気半田ごては、電子部品の複数の半田付け端子を同時に加熱することができず、必ず他の電気半田ごてを必要として、且つピンセットで電子部品を位置決めするので、使用に不便であり、時間がかかり、非効率的である。
【発明の概要】
【発明が解決しようとする課題】
【０００３】
本発明の目的は、課題を解決し、使用に便利な電気半田ごてを提供することである。
【課題を解決するための手段】
【０００４】
本発明に係る電気半田ごては、ハンドルと、ハンドルの内部に設置される加熱柱と、ハンドルの内部にスライド可能に設置される調節部材と、中央部が前記加熱柱に枢着される第一こてヘッド及び第二こてヘッドと、を備え、前記第一こてヘッド及び第二こてヘッドの第一端は前記調節部材に枢着され、前記調節部材をスライドさせて、前記第一こてヘッド及び第二こてヘッドの第二端は向かい合って移動して近付くか又は相反する方向に向かって移動して離れる。
【発明の効果】
【０００５】
従来の技術に比べて、本発明の電気半田ごては、調節部材を操作することにより、第一こてヘッド及び第二こてヘッドが熱伝導軸を支点としてはさみのように回転するので、第一こてヘッドの挟持部及び第二こてヘッドの挟持部は、電子部材の半田付け端子を加熱するか又は電子部材を挟んで位置決めすることができ、使用に便利であり、効率的である。
【図面の簡単な説明】
【０００６】
【図１】本発明の実施形態に係る電気半田ごての分解斜視図である。
【図２】図１に示す電気半田ごての組立斜視図である。
【図３】図２に示す電気半田ごての使用状態を示す平面図である。
【発明を実施するための形態】
【０００７】
以下、図面を参照して、本発明の実施形態について説明する。
【０００８】
図１を参照すると、本発明の実施形態に係る電気半田ごて１００は、ハンドル２０と、操作装置４０と、加熱柱６０と、第一こてヘッド８０と、第二こてヘッド９０と、を備える。
【０００９】
ハンドル２０は、円筒状である。ハンドル２０における軸方向の端部には、ハンドル２０を貫通する長方形のスライドスロット２２が設けられる。スライドスロット２２の長手方向は、ハンドル２０の軸方向に平行である。ハンドル２０には、支持部２４がスライドスロット２２の下辺からハンドル２０の内側に向かって延在して形成される。
【００１０】
操作装置４０は、ハンドル２０の軸方向に沿ってハンドル２０の内部にスライド可能に装着される細長い調節部材４２と、第一接続部材４４と、第二接続部材４５と、弾性部材４６と、備える。調節部材４２の上端から操作部４２４が垂直に延在され、調節部材４２の下端には接続板４２６が形成される。操作部４２４の自由端は、スライドスロット２２からハンドル２０の外部に延出し、弾性部材４６は、操作部４２４と支持部２４との間に挟まれる。第一接続部材４４及び第二接続部材４５の構造は同じであり、且つ第一接続部材４４及び第二接続部材４５は「八」字状を呈するように接続板４２６に枢着される。第一接続部材４４及び第二接続部材４５の接続板４２６から離れている一端には、第一接続孔４４２及び第二接続孔４５２がそれぞれ設けられる。本実施形態において、弾性部材４６は、圧縮バネである。
【００１１】
加熱柱６０は、ハンドル２０の内部に装着され且つ電源に接続される。加熱柱６０のハンドル２０から離れる端部には、熱伝導軸６２が垂直に延在される。
【００１２】
第一こてヘッド８０及び第二こてヘッド９０は、類似の構造を有し且つ熱伝導軸６２に対称的に枢着される。
【００１３】
第一こてヘッド８０は、略「Ｚ」字状であり、枢着部８４と、枢着部８４の両端から相反する方向に向かって延在して形成される接続部８２及び挟持部８６と、を備える。挟持部８６は、枢着部８４にほぼ垂直であり、接続部８２及び枢着部８４は鈍角をなす。接続部８２には、接続軸８２２が垂直に突出して形成される。枢着部８４は折り曲げられて収容部８４２を形成する。収容部８４２の底面には、枢着部８４を貫通する軸孔８４４が設けられ、軸孔８４４の軸方向は、接続軸８２２の軸方向に平行である。
【００１４】
第二こてヘッド９０は、略「Ｚ」字状であり、枢着部９４と、枢着部９４の両端から相反する方向に向かって延在して形成される接続部９２及び挟持部９６と、を備える。挟持部９６は、枢着部９４にほぼ垂直であり、接続部９２及び枢着部９４は鈍角をなす。接続部９２には、接続軸９２２が垂直に突出して形成される。枢着部９４の中央部には、枢着部９４を貫通する軸孔９４４が設けられ、軸孔９４４の軸方向は、接続軸９２２の軸方向に平行である。
【００１５】
図２を参照して、第一こてヘッド８０及び第二こてヘッド９０の装着過程を説明する。先ず、第一こてヘッド８０の接続軸８２２を第一接続部材４４の第一接続孔４４２に挿入し、加熱柱６０の熱伝導軸６２を第一こてヘッド８０の軸孔８４４に貫通させて、熱伝導軸６２の自由端を第一こてヘッド８０の収容部８４２に位置させる。次に、第二こてヘッド９０の接続軸９２２を第二接続部材４５の第二接続孔４５２に挿入し、第二こてヘッド９０の枢着部９４を第一こてヘッド８０の収容部８４２に収容し、収容部８４２に位置する熱伝導軸６２の自由端を第二こてヘッド９０の軸孔９４４に貫通させる。これにより、第一こてヘッド８０の挟持部８６及び第二こてヘッド９０の挟持部９６は当接し、第一こてヘッド８０及び第二こてヘッド９０は、熱伝導軸６２を支点としてはさみのように回転することができる。
【００１６】
図３を参照すると、電気半田ごて１００を使用する場合、操作部４２４を押圧して弾性部材４６を圧縮すると、調節部材４２は下に向かって移動して、第一接続部材４４に接続された第一こてヘッド８０及び第二接続部材４５に接続された第二こてヘッド９０は熱伝導軸６２を支点として回転して、挟持部８６及び挟持部９６は離間されて電子部材の両側に位置し、操作部４２４に印加する圧力を除去すると、弾性部材４６は弾性復帰して、調節部材４２は上に向かって移動し、第一接続部材４４に接続された第一こてヘッド８０及び第二接続部材４５に接続された第二こてヘッド９０は熱伝導軸６２を支点として回転して、挟持部８６及び挟持部９６を向かい合って移動させて電子部材を挟んで電子部材を位置決めする。電子部材を位置決めしてから、操作部４２４を押圧して、挟持部８６及び挟持部９６を電子部材の２つの半田付け端子に接触させ、加熱柱６０に電力を供給すると、熱伝導軸６２は熱を第一こてヘッド８０及び第二こてヘッド９０に伝導して、電子部材の２つの半田付け端子を加熱して電子部材をプリント回路基板に取り付ける。最終的に加熱柱６０に対する電力供給を停止し、電気半田ごて１００を離す。
【００１７】
本発明の電気半田ごて１００において、調節部材４２を操作することにより、第一こてヘッド８０及び第二こてヘッド９０が熱伝導軸６２を支点としてはさみのように回転するようにして、第一こてヘッド８０の挟持部８６及び第二こてヘッド９０の挟持部９６は、電子部材の半田付け端子を加熱するか又は電子部材を挟んで位置決めすることができ、使用に便利であり、効率的である。
【００１８】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１９】
２０  ハンドル
２２  スライドスロット
２４  支持部
４０  操作装置
４２  調節部材
４４  第一接続部材
４５  第二接続部材
４６  弾性部材
６０  加熱柱
６２  熱伝導軸
８０  第一こてヘッド
９０  第二こてヘッド
８２，９２  接続部
８４，９４  枢着部
８６，９６  挟持部
１００  電気半田ごて
４２４  操作部
４２６  接続板
４４２  第一接続孔
４５２  第二接続孔
８２２，９２２  接続軸
８４２  収容部
８４４，９４４  軸孔
【図１】
2013111652.tif 000003
【図２】
2013111652.tif 000004
【図３】
2013111652.tif 000005